(57)【要約】【課題】本発明は、特定情報再生装置と、それを搭載した自動車に関するもので、使い勝手を良くすることを目的とするものである。【解決手段】そしてこの目的を達成するために本発明は、コンテンツ再生装置５の操作部１４に特定コンテンツの視聴希望入力があると、先ず、通信部１３、１６を介して、制御部１７に、充電器６に装着された携帯機器の特定情報を、近距離通信部１８を介して取得させ、次に、取得した携帯機器の特定情報を、通信部１３、１６、携帯機器の少なくとも一つからサーバー１９に送信し、その後、サーバー１９から送信される特定コンテンツを、通信部１３によって受信させ、表示部９に表示させる構成とした。【選択図】図５
2016029515.tif 000002
【特許請求の範囲】
【請求項１】
コンテンツ再生装置と、このコンテンツ再生装置に通信接続されるとともに、携帯機器への充電部を有する充電器とを備え、
前記コンテンツ再生装置は、表示部と、この表示部に接続された第１の制御部と、この第１の制御部に接続された再生部、第１の通信部および操作部とを有し、
前記充電器は、前記第１の通信部に通信接続される第２の通信部と、この第２の通信部に接続された第２の制御部と、この第２の制御部に接続された近距離通信部を有し、
前記コンテンツ再生装置の第１の制御部は、前記操作部に特定コンテンツの視聴希望入力があると、先ず、第２の制御部に、前記充電器に装着された携帯機器の特定情報を、前記近距離通信部を介して取得させ、次に、取得した携帯機器の特定情報を、前記第１の通信部、前記第２の通信部、前記携帯機器の少なくとも一つから外部サーバーに送信し、その後、前記外部サーバーから送信される特定コンテンツを、前記第１の通信部によって受信させ、前記表示部に表示させる特定情報再生装置。
【請求項２】
前記コンテンツ再生装置の前記第１の制御部は、前記操作部に特定コンテンツの視聴希望入力があると、前記充電器に携帯機器が装着されているか、否かを判定し、前記充電器に携帯機器が装着されていない場合には、前記表示部に、前記携帯機器を前記充電器に装着することを要請する表示をさせる請求項１に記載の特定情報再生装置。
【請求項３】
前記コンテンツ再生装置の前記第１の制御部は、前記操作部に特定コンテンツの視聴希望入力があると、前記充電器に携帯機器が装着されているか、否かを判定し、前記充電器に携帯機器が装着されている場合には、前記表示部に、装着済み携帯機器の特定情報を使用することを確認する使用確認表示をさせる請求項１または２に記載の特定情報再生装置。
【請求項４】
前記特定コンテンツは有料コンテンツとし、前記特定情報は課金情報とした請求項１から３のいずれか一つに記載の特定情報再生装置。
【請求項５】
前記コンテンツ再生装置の前記第１の制御部は、前記操作部に特定コンテンツの視聴希望入力があると、その視聴希望入力後に前記充電器に装着された携帯機器の特定情報を、前記近距離通信部を介して第２の制御部に取得させる請求項１に記載の特定情報再生装置。
【請求項６】
前記コンテンツ再生装置の前記第１の制御部は、前記操作部に特定コンテンツの視聴希望入力があると、所定時間経過した後に、前記第２の制御部が取得した携帯機器の特定情報を、前記第１の通信部、前記第２の通信部、前記携帯機器の少なくとも一つから外部サーバーに送信する請求項１または５に記載の特定情報再生装置。
【請求項７】
請求項１から６のいずれか一つに記載の特定情報再生装置を、車内に設けた自動車。
【請求項８】
操作部に特定コンテンツの視聴希望入力があると、充電器に装着された携帯機器の特定情報を、近距離通信部を介して取得させるステップと、
取得した携帯機器の特定情報を、外部サーバーに送信するステップと、
前記外部サーバーから送信される特定コンテンツを、通信部によって受信させ、表示部に表示させるステップと、
をコンピュータに実行させるためのプログラム。
【請求項９】
操作部に特定コンテンツの視聴希望入力があると、その視聴希望入力後に充電器に装着された携帯機器の特定情報を、近距離通信部を介して取得させるステップと、
取得した携帯機器の特定情報を、外部サーバーに送信するステップと、
前記外部サーバーから送信される特定コンテンツを、通信部によって受信させ、表示部に表示させるステップと、
をコンピュータに実行させるためのプログラム。
【発明の詳細な説明】
【技術分野】
【０００１】
本発明は、例えば有料コンテンツなどの特定コンテンツを受信し、再生する特定情報再生装置と、それを搭載した自動車、およびそのプログラムに関するものである。
【背景技術】
【０００２】
この種の特定コンテンツを受信し、再生するためには、先ずは、サーバーに、前記特定コンテンツ名と課金情報（料金支払い情報）と、受信するコンテンツ再生装置を、携帯電話から送信する（例えば下記特許文献１）。
【０００３】
すると、サーバーから前記コンテンツ再生装置に特定コンテンツが送信されるので、その表示部にて、その内容を視聴することが出来る。
【先行技術文献】
【特許文献】
【０００４】
【特許文献１】特開２０１０−２６７０７３号公報
【発明の概要】
【発明が解決しようとする課題】
【０００５】
上記従来例においては、携帯電話から情報入力を行わなければならないので、例えば、自動車内での操作は煩わしいものとなる。
【０００６】
例えば、運転者は、運転中には、このような操作は行うことが出来ず、また同乗者も、走行中の自動車内での操作は、車体が振動するので、操作がしづらく、その結果として使い勝手の悪いものであった。
【０００７】
そこで、本発明は、使い勝手を良くすることを目的とするものである。
【課題を解決するための手段】
【０００８】
そしてこの目的を達成するために本開示の第１の局面は、コンテンツ再生装置と、このコンテンツ再生装置に通信接続されるとともに、携帯機器への充電部を有する充電器とを備え、コンテンツ再生装置は、表示部と、この表示部に接続された第１の制御部と、この第１の制御部に接続された再生部、第１の通信部および操作部とを有し、充電器は、第１の通信部に通信接続される第２の通信部と、この第２の通信部に接続された第２の制御部と、この第２の制御部に接続された近距離通信部を有し、コンテンツ再生装置の第１の制御部は、操作部に特定コンテンツの視聴希望入力があると、先ず、第２の制御部に、充電器に装着された携帯機器の特定情報を、近距離通信部を介して取得させ、次に、取得した携帯機器の特定情報を、第１の通信部、第２の通信部、携帯機器の少なくとも一つから外部サーバーに送信し、その後、外部サーバーから送信される特定コンテンツを、第１の通信部によって受信させ、表示部に表示させる構成とし、これにより所期の目的を達成するものである。
【発明の効果】
【０００９】
以上のように本開示の第１の局面は、コンテンツ再生装置と、このコンテンツ再生装置に通信接続されるとともに、携帯機器への充電部を有する充電器とを備え、コンテンツ再生装置は、表示部と、この表示部に接続された第１の制御部と、この第１の制御部に接続された再生部、第１の通信部および操作部とを有し、充電器は、第１の通信部に通信接続される第２の通信部と、この第２の通信部に接続された第２の制御部と、この第２の制御
部に接続された近距離通信部を有し、コンテンツ再生装置の第１の制御部は、操作部に特定コンテンツの視聴希望入力があると、先ず、第２の制御部に、充電器に装着された携帯機器の特定情報を、近距離通信部を介して取得させ、次に、取得した携帯機器の特定情報を、第１の通信部、第２の通信部、携帯機器の少なくとも一つから外部サーバーに送信し、その後、外部サーバーから送信される特定コンテンツを、第１の通信部によって受信させ、表示部に表示させる構成としたものであるので、使い勝手の良いものとなる。
【００１０】
すなわち、本開示の第１の局面によれば、コンテンツ再生装置の操作部により、特定コンテンツの視聴希望入力がされた際には、先ず、第１の通信部、第２の通信部を介して、第２の制御部に、充電器に装着された携帯機器の特定情報を、近距離通信部を介して取得させ、次に、取得した携帯機器の特定情報を、第１の通信部、第２の通信部、携帯機器の少なくとも一つから外部サーバーに送信し、その後、外部サーバーから送信される特定コンテンツを、第１の通信部によって受信させ、表示部に表示させる構成としたものである。したがって、携帯機器を充電器に装着し、コンテンツ再生装置の操作部により、特定コンテンツの視聴希望入力をするだけで、その視聴が可能となり、極めて使い勝手の良いものとなるのである。
【図面の簡単な説明】
【００１１】
【図１】本発明の一実施形態にかかる特定情報再生装置を搭載した自動車を示す側面断面図
【図２】本発明の一実施形態にかかる特定情報再生装置を搭載した自動車の一部斜視図
【図３】本発明の一実施形態にかかる特定情報再生装置を示す正面図
【図４】本発明の一実施形態にかかる特定情報再生装置を示す斜視図
【図５】本発明の一実施形態にかかる前席側の特定情報再生装置を示す制御ブロック図
【図６】本発明の一実施形態にかかる前席側の特定情報再生装置の表示例を示す図
【図７】本発明の一実施形態にかかる前席側の特定情報再生装置の表示例を示す図
【図８】本発明の一実施形態にかかる前席側の特定情報再生装置の表示例を示す図
【図９】本発明の一実施形態にかかる前席側の特定情報再生装置の表示例を示す図
【図１０】本発明の一実施形態にかかる前席側の特定情報再生装置の動作フローチャート
【発明を実施するための形態】
【００１２】
以下、本発明の一実施形態を、添付図面を用いて説明する。
【００１３】
（実施の形態１）
図１、図２において、自動車１の車内２前方には運転席３と助手席（図示せず）を有する。また、運転席３の前方には、ハンドル４が配置されている。
【００１４】
さらに、図３に示すコンテンツ再生装置５は、ハンドル４の側方に配置されている。
【００１５】
また、充電器６は、運転席３の前方で、コンテンツ再生装置５の後方側に配置されている。
【００１６】
さらに、車内２の後方には、図１に示すように、後席７が配置されているが、この後席７と運転席３、助手席間には、図４に示すコンテンツ再生装置８が配置されている。
【００１７】
コンテンツ再生装置５は、ラジオや光ディスクなどの再生を行うことが出来るようになっているが、これらの事は周知のことであるので、説明の煩雑化を避けるために、説明は簡略化する。
【００１８】
本実施形態の特徴は、使用者は、例えば有料コンテンツ等の特定コンテンツの視聴希望入力を行えば、特定コンテンツをコンテンツ再生装置５の表示部９に表示し、それを視聴することが出来る。
【００１９】
勿論、使用者は、この特定コンテンツを後席７側の、コンテンツ再生装置８の表示部１０で視聴することも出来る。
【００２０】
つまり、本実施形態によれば、運転席３側のコンテンツ再生装置５の表示部９でも、後席７側のコンテンツ再生装置８の表示部１０でも、特定コンテンツを視聴することが出来る。しかしながら、説明の煩雑化を避けるため、以下の説明は、運転席３側のコンテンツ再生装置５を中心に説明する。
【００２１】
コンテンツ再生装置５は、図５に示すように、表示部９と、この表示部９に接続された制御部１１と、この制御部１１に接続された再生部１２、通信部１３および操作部１４（例えば、表示部９に設けられたタッチパネル）とを有している。
【００２２】
また、充電器６は、コンテンツ再生装置５に通信接続されるとともに、携帯機器（図示していないが、一例として携帯電話）への充電部１５を有する。
【００２３】
さらに、充電器６は、コンテンツ再生装置５の通信部１３に通信接続される通信部１６と、この通信部１６に接続された制御部１７と、この制御部１７に接続された近距離通信部１８を有している。
【００２４】
なお、近距離通信部１８は、充電器６に携帯機器が装着されると、この携帯機器との間で近距離通信を行うことで、携帯機器が保有する特定情報（例えば課金情報）を取得することができる。
【００２５】
このコンテンツ再生装置５と充電器６を合わせた構成が、特定情報再生装置となる。
【００２６】
以上の構成において、特定コンテンツの一例として、有料コンテンツが図３のサーバー１９から供給される手順を説明する。
【００２７】
まず、使用者は、例えば、図３の操作部２０の一つである「１」と表示されたボタンを操作すれば、再生部１２に含まれるアプリケーションが起動する。
【００２８】
すると、図３に示す表示部９に、どの種類のコンテンツを再生するのかを選択するメニューが表示される。（視聴希望入力）。
【００２９】
例えば、この表示部９内のメニューには、有料コンテンツと表示されているので、操作部１４（タッチパネル）を使用者は、指で操作する。
【００３０】
すると、制御部１１は、有料コンテンツを視聴するための携帯機器の特定情報（例えば課金情報）を取得するために、充電器６に携帯機器が装着されているか、否かの判定を行う（図１０のＳ１、Ｓ２）。
【００３１】
この判定のために、制御部１１は、通信部１３、１６を介して制御部１７に、近距離通信部１８によって携帯機器との近距離通信を実行させ動作を行わせる。
【００３２】
ここで、図２のごとく、充電器６に携帯機器が装着されていないと、近距離通信部１８による携帯機器との近距離通信ができないので、このときには、制御部１１は充電器６に携帯機器が装着されていないと判定する。
【００３３】
すると、制御部１１は表示部９に、図６に示す携帯機器を充電器６に装着することを要請する要請表示（充電器に認証用の端末を置いてください。）をさせる（図１０のＳ）。
【００３４】
これを確認した使用者は、携帯機器を充電器６上に装着することになる。
【００３５】
すると、これを上記近距離通信部１８による携帯機器との近距離通信で確認し、これにより、制御部１１は、有料コンテンツを視聴するための携帯機器の特定情報（例えば課金情報）を取得することができる（図１０のＳ４）。
【００３６】
次に、制御部１１は、通信部１３により、この特定情報（例えば課金情報）と、コンテンツ再生装置５のＩＰアドレスと、視聴希望の有料コンテンツ名等を、サーバー１９に送信する認証処理を実行する（図１０のＳ５）。
【００３７】
そして、サーバー１９からの返信を通信部１３が受信し、認証が完了した場合には、表示部９に図８の表示（認証成功）を表示させる（図１０のＳ６、Ｓ７）。
【００３８】
そして、このように認証が成功すると、サーバー１９から有料コンテンツが通信部１３に送信され、次に再生部１２による再生処理により、表示部９に有料コンテンツが表示されることになる。
【００３９】
このときの表示は、後席７側の表示部１０に表示させることも出来るので、車内２で有料コンテンツの視聴が可能となる。
【００４０】
また、（図１０のＳ６）において、認証が失敗すると、制御部１１は表示部９に、図９に示す表示（認証失敗）を表示させる（図１０のＳ８）。
【００４１】
つまり、今回充電器６に装着した携帯機器が保有する特定情報（例えば課金情報）では、希望する有料コンテンツを視聴するための条件（資金など）が不足しているときなどが、この状態となる。
【００４２】
このように、本実施形態においては、例えば、支払いを希望する人物が、携帯機器を充電器６に装着するだけで、その携帯機器が保有する特定情報（例えば課金情報）をサーバー１９に送信し、認証が行えるので、極めて使い勝手の良いものとなる。
【００４３】
特に、本実施形態では、自動車１の車内２に設置したものであるので、その操作が簡単になると、自動車１の運転に支障をきたすことの無いものとなる。
【００４４】
また、携帯機器の充電を行うために、この携帯機器を充電器６に装着した状態で、上述のような有料コンテンツの視聴希望入力が行われる場合もある。この時には、（Ｓ２）の状態から、携帯機器が充電器６に継続的に装着されていることを確認するために、制御部１１はタイマー（例えば、３０秒）をスタートさせる（図１０のＳ９）。
【００４５】
そして、制御部１１は、３０秒間継続的に、表示部９に図７に示す使用確認表示（充電中の端末で認証を開始しますか）を行う（図１０のＳ１０）。
【００４６】
使用者は、この状態を確認し、充電中の携帯機器での支払いを行う場合には、継続的にその携帯機器を充電器６に装着した状態とする。
【００４７】
すると、このタイマー内においても、継続的に充電器６に携帯機器が装着された状態となるので、タイムアウト後には、（Ｓ５）に移行して、認証処理が行われる（図１０のＳ１１、Ｓ１２）。
【００４８】
しかし、このタイマー内に充電中の携帯機器を充電器６から取り外すと、制御部１１は（Ｓ３）に移行して、支払うべき携帯機器を充電器６に装着することを要求する要請表示を表示部９に表示させる。
【００４９】
これを確認した使用者は、携帯機器を充電器６上に装着することになる。
【００５０】
すると、これを上記近距離通信部１８による携帯機器との近距離通信で確認し、これにより、制御部１１は、有料コンテンツを視聴するための携帯機器の特定情報（例えば課金情報）を取得することができる（図１０のＳ４）。
【００５１】
次に、制御部１１は、通信部１３により、この特定情報（例えば課金情報）と、コンテンツ再生装置５のＩＰアドレスと、視聴希望の有料コンテンツ名等を、サーバー１９に送信する認証処理を実行する（図１０のＳ５）。
【００５２】
そして、サーバー１９からの返信を通信部１３が受信し、認証が完了した場合には、表示部９に図８の表示（認証成功）を表示させる（図１０のＳ６、Ｓ７）。
【００５３】
そして、このように認証が成功すると、サーバー１９から有料コンテンツが通信部１３に送信され、次に再生部１２による再生処理により、表示部９に有料コンテンツが表示されることになる。
【００５４】
このときの表示は、後席７側の表示部１０に表示させることも出来るので、車内２で有料コンテンツの視聴が可能となる。
【００５５】
また、（図１０のＳ６）において、認証が失敗すると、制御部１１は表示部９に、図９に示す表示（認証失敗）を表示させる（図１０のＳ８）。
【００５６】
つまり、特定情報再生装置は、自動車１の車内２に設置したものである。したがって、運転者の携帯機器だけではなく、運転者の家族や友達の携帯機器が車内２に持ち込まれることが想定される。
【００５７】
この場合、支払い（特定情報の使用）を運転者以外の携帯機器で行うことも考えられる。例えば、無料コンテンツだけどログインしなければ視聴できないコンテンツサイトやログインして定額見放題のようなコンテンツサイトが存在する。
【００５８】
すなわち、充電器６に装着された携帯機器が運転者のものであるが、このコンテンツサイトの視聴権利を運転者の友達しか持っていないとする。この場合、制御部１１がタイマーを動作させなければ、使用者がコンテンツの視聴希望入力をした後、すぐさま認証失敗となってしまう。
【００５９】
このような認証失敗となる場合以外にも次のような状況も想定される。
【００６０】
運転者は、有料コンテンツを視聴する度に支払う権利を持っており、一方、運転者の友達は、定額見放題の権利を持っているとする。この場合、運転者の権利で認証するのではなく、運転者の友達の権利で認証することが求められる。
【００６１】
このような時、制御部１１がタイマーを動作させ、所定時間の間、認証のステップへ進まないようにすることにより、使用者が適切な携帯端末を充電器６へ装着することができる。
【００６２】
このようにすれば、ステップＳ１１で充電台に端末がない状態となるので、ステップＳ３へ移動する。その後、適切な携帯端末が充電器６に置かれるので、その携帯機器が保有する特定情報（例えば課金情報）をサーバー１９に送信し、認証が行えるので、極めて使い勝手の良いものとなる。
【００６３】
なお、本実施形態では、サーバー１９への認証通信も通信部１３によって行ったが、この認証通信は充電器６の通信部１６や、充電器６に装着した携帯機器の通信部によって行っても良い。
【００６４】
また、本実施形態では、特定コンテンツとして、有料コンテンツを取り上げたが、特定コンテンツとしては、例えば無料の特定コンテンツでも良い。
【００６５】
しかしながら、その場合にでも、その特定コンテンツを視聴することが出来る人物を制限するために、携帯機器が保有する特定情報を利用する。
【００６６】
なお、図１０の動作フローは、コンテンツ再生装置５に搭載されたプログラムとして説明したが、特定情報再生装置の充電器６、および携帯機器のいずれにもこのプログラムを搭載することが可能である。
【産業上の利用可能性】
【００６７】
以上のように本開示の第１の局面は、コンテンツ再生装置と、このコンテンツ再生装置に通信接続されるとともに、携帯機器への充電部を有する充電器とを備え、コンテンツ再生装置は、表示部と、この表示部に接続された第１の制御部と、この第１の制御部に接続された再生部、第１の通信部および操作部とを有し、充電器は、第１の通信部に通信接続される第２の通信部と、この第２の通信部に接続された第２の制御部と、この第２の制御部に接続された近距離通信部を有し、コンテンツ再生装置の第１の制御部は、操作部に特定コンテンツの視聴希望入力があると、先ず、第２の制御部に、充電器に装着された携帯機器の特定情報を、近距離通信部を介して取得させ、次に、取得した携帯機器の特定情報を、第１の通信部、第２の通信部、携帯機器の少なくとも一つから外部サーバーに送信し、その後、外部サーバーから送信される特定コンテンツを、第１の通信部によって受信させ、表示部に表示させる構成としたものであるので、使い勝手の良いものとなる。
【００６８】
すなわち、本開示の第１の局面によれば、コンテンツ再生装置の操作部により、特定コンテンツの視聴希望入力がされた際には、先ず、第１の通信部、第２の通信部を介して、第２の制御部に、充電器に装着された携帯機器の特定情報を、近距離通信部を介して取得させ、次に、取得した携帯機器の特定情報を、第１の通信部、第２の通信部、携帯機器の少なくとも一つから外部サーバーに送信し、その後、外部サーバーから送信される特定コンテンツを、第１の通信部によって受信させ、表示部に表示させる構成としたものである。したがって、携帯機器を充電器に装着し、コンテンツ再生装置の操作部により、特定コンテンツの視聴希望入力をするだけで、その視聴が可能となり、極めて使い勝手の良いものとなるのである。
【００６９】
したがって、特定情報再生装置と、それを搭載した自動車としての活用が期待されるものとなる。
【符号の説明】
【００７０】
１  自動車
２  車内
３  運転席
４  ハンドル
５、８  コンテンツ再生装置
６  充電器
７  後席
９、１０  表示部
１１  制御部
１２  再生部
１３  通信部
１４  操作部
１５  充電部
１６  通信部
１７  制御部
１８  近距離通信部
１９  サーバー
２０  操作部
【図１】
2016029515.tif 000003
【図２】
2016029515.tif 000004
【図３】
2016029515.tif 000005
【図４】
2016029515.tif 000006
【図５】
2016029515.tif 000007
【図６】
2016029515.tif 000008
【図７】
2016029515.tif 000009
【図８】
2016029515.tif 000010
【図９】
2016029515.tif 000011
【図１０】
2016029515.tif 000012